(57)【要約】【課題】測定に使用される対象物間の温度差を小さくすると共に、測定のスループットを短くする。【解決手段】上部筐体１２内部の上方の角部のＸ方向に沿った上部筐体１２の内側には、ラジエータ６０が設けられている。ラジエータ６０は、金属製の薄板が積層されて内部に流路が構成されており、流路に温調水を流すことにより、温調水と上部筐体１２内の空気との熱交換を行っている。ラジエータ６０の上部筐体１２と逆側には、ラジエータ送風ファン６２が設けられている。ラジエータ送風ファン６２により、ラジエータ６０で熱交換された空気が、上部筐体１２のＹ方向内側へ送り込まれる。【選択図】図４
2008064525.tif 000002
【特許請求の範囲】
【請求項１】
測定チップに固定された被検査物質へ試料を供給して前記被検査物質と前記試料との反応を測定する測定部と、複数の前記試料をストックする試料ストック部と、複数の前記測定チップをストックする測定用チップストック部と、前記被検査物質へ供給するバッファー液をストックするバッファストック部と、を内部に収容し、断熱部材で構成された筐体と、
前記筐体内に設けられたラジエータと、
前記ラジエータへ供給される液体を循環させる循環手段と、
前記ラジエータにより熱交換された空気を、前記筐体内に拡散させる送風手段と、
を備えた測定装置。
【請求項２】
前記筐体内には、前記測定チップへ前記試料及び前記バッファー液を供給するための液体供給機構が収容されていること、を特徴とする請求項１に記載の測定装置。
【請求項３】
前記測定部は、前記測定チップをセットする定盤を備え、
前記ラジエータへ供給される液体は、前記定盤を冷却する水冷ジャケットへも供給されていること、を特徴とする請求項１または請求項２に記載の測定装置。
【発明の詳細な説明】
【技術分野】
【０００１】
本発明は、被検査物質へ試料を供給して被検査物質と試料との反応を測定する測定装置に関する。
【背景技術】
【０００２】
生理活性物質などの被検査物質へ試料を供給して被検査物質と試料との反応を測定する測定装置では、正確な測定を行うために、測定チップ上の被検査物質、試料、バッファー液などについて、各々の測定時の温度差が小さいことが求められる。
【０００３】
温度調整を行うために、例えば、特許文献１に記載の装置では、測定ステージに測定チップがセットされた後、ヒータにより温度調整を行っている。しかしながら、個々の測定チップ毎に温度調整を行っていては、測定のスループットが長くなってしまう。
【特許文献１】特許第３４６８０９１号
【発明の開示】
【発明が解決しようとする課題】
【０００４】
本発明は上記事実を考慮してなされたものであり、測定に使用される対象物間の温度差を小さくすると共に、測定のスループットを短くする測定装置を提供することを目的とする。
【課題を解決するための手段】
【０００５】
上記課題を解決するために、本発明の請求項１に記載の測定装置は、測定チップに固定された被検査物質へ試料を供給して、前記被検査物質と前記試料との反応を測定する測定部と、複数の前記試料をストックする試料ストック部と、複数の前記測定用チップをストックする測定チップストック部と、前記被検査物質へ供給するバッファー液をストックするバッファストック部と、を内部に収容し、断熱部材で構成された筐体と、前記筐体内に設けられたラジエータと、前記ラジエータへ供給される液体を循環させる循環手段と、前記ラジエータにより熱交換された空気を、前記筐体内に拡散させる送風手段と、を備えている。
【０００６】
本発明の測定装置では、測定部、試料ストック部、測定チップストック部、バッファストック部が、断熱部材で構成された筐体内に収容されている。筐体内には、ラジエータが設けられ、循環手段によりラジエータへ供給される液体が循環されている。筐体内のラジエータ近傍では、ラジエータ内の液体と筐体内の空気との間で熱交換が行われ、送風手段により、熱交換された空気が筐体内に拡散される。
【０００７】
本発明の測定装置によれば、ラジエータにより熱交換の行われた空気が、筐体内に拡散され、筐体内全体の温度が均一となる。これにより、筐体内の試料ストック部にストックされた試料、測定チップストック部にストックされた測定チップ、バッファストック部にストックされたバッファー液、及び、測定部を全体的に温度調整することができ、測定毎に温度調整することなくこれらの間の温度差を小さくすることができる。したがって、大量の測定チップ、試料を測定前に温度調整しておくことができ、測定のスループットを短縮することができる。
【０００８】
本発明の請求項２に記載の測定装置は、前記筐体内に、前記測定チップへ前記試料及び前記バッファー液を供給するための液体供給機構が収容されていること、を特徴とする。
【０００９】
このように、測定対象にアクセスする液体供給機構も筐体内に配置することにより、液体供給機構を含めて温度調整をすることができる。
【００１０】
本発明の請求項３に記載の測定装置は、前記測定部が、前記測定チップをセットする定盤を備え、前記ラジエータへ供給される液体は、前記定盤を冷却する水冷ジャケットへも供給されること、を特徴とする。
【００１１】
測定部は、測定のための光学機器、基板等が配置されることから、他の部分よりも高温となりやすい。そこで、測定チップをセットする定盤に水冷ジャケットを設け、この水冷ジャケットにもラジエータに供給される液体を供給することにより、ラジエータと定盤の水冷ジャケットとを、１つの循環手段で循環させることができる。
【発明の効果】
【００１２】
本発明は上記構成としたので、測定対象の温度差を小さくすると共に、測定のスループットを短くすることができる。
【発明を実施するための最良の形態】
【００１３】
以下、図面を参照しながら本発明の実施形態について説明する。
【００１４】
本発明に係る測定装置としてのバイオセンサー１０は、金属膜の表面に発生する表面プラズモン共鳴を利用して、被検査物質としてのタンパクＴａと試料Ａとの相互作用を測定する、いわゆる表面プラズモンセンサーである。
【００１５】
図１〜図４に示すように、バイオセンサー１０は、下部筐体１１及び上部筐体１２を備えている。上部筐体１２は、断熱部材で構成されており、バイオセンサー１０の上半分全体を覆っている。上部筐体１２内と、外部及び下部筐体１１内との間は、断熱されている。上部筐体１２の手前側は、上方へ開放可能とされており、把手１３が取り付けられている。上部筐体１２の外側には、ディスプレイ１４及び入力部１６が設置されている。
【００１６】
図２は、上部筐体１２を取り去って、図１の奥側からみたバイオセンサー１０の内部を示す図であり、図３は筐体の内部を上面からみた図、図４は図２の手前側からみた内部の側面図である。
【００１７】
上部筐体１２の内部には、分注ヘッド２０、測定部３０、試料ストック部４０、ピペットチップストック部４２、バッファストック部４４、冷蔵部４６、測定チップストック部４８、ラジエータ６０、ラジエータ送風ファン６２、水平方向送風ファン６４が備えられている。
【００１８】
試料ストック部４０は、試料積層部４０Ａ及び試料セット部４０Ｂで構成されている。試料積層部４０Ａには、個々のセルに各々異なるアナライト溶液をストックする試料プレート４０Ｐが、Ｚ方向に積層されて収容されている。試料セット部４０Ｂには、１枚の試料プレート４０Ｐが、図示しない搬送機構により試料積層部４０Ａから搬送されてセットされる。
【００１９】
ピペットチップストック部４２は、ピペットチップ積層部４２Ａ及びピペットチップセット部４２Ｂで構成されている。ピペットチップ積層部４２Ａには、複数のピペットチップを保持するピペットチップストッカー４２Ｐが、Ｚ方向（鉛直方向）に積層されて収容されている。ピペットチップセット部４２Ｂには、１枚のピペットチップストッカー４２Ｐが、図示しない搬送機構によりピペットチップ積層部４２Ａから搬送されてセットされる。
【００２０】
バッファストック部４４は、ボトル収容部４４Ａ及びバッファ供給部４４Ｂで構成されている。ボトル収容部４４Ａには、バッファー液が貯留された複数本のボトル４４Ｃが収容されている。バッファ供給部４４Ｂには、バッファプレート４４Ｐがセットされている。バッファプレート４４Ｐは、複数筋に区画されており、各々の区画には濃度の異なるバッファー液が貯留されている。また、バッファプレート４４Ｐの上部には、分注ヘッド２０のアクセス時にピペットチップＣＰが挿入される孔Ｈが構成されている。バッファプレート４４Ｐへは、ホース４４Ｈによりボトル４４Ｃからバッファ液が供給される。
【００２１】
バッファ供給部４４Ｂの隣には、補正用プレート４５が配置され、その隣に冷蔵部４６が配置されている。補正用プレート４５は、バッファー液の濃度調整を行うためのプレートであり、マトリクス状に複数セルが構成されている。冷蔵部４６には、冷蔵の必要な試料が配置される。冷蔵部は低温とされており、この上で試料は低温状態に保たれる。
【００２２】
測定チップストック部４８には、測定チップ収容プレート４８Ｐがセットされている。測定チップ収容プレート４８Ｐには、測定チップ５０が複数本収納されている。
【００２３】
測定チップストック部４８と測定部３０との間には、測定チップ搬送機構４９が備えられている。測定チップ搬送機構４９は、測定チップ５０を両側から挟み込んで保持する保持アーム４９Ａ、回転により保持アーム４９ＡをＹ方向に移動させるボールねじ４９Ｂ、Ｙ方向に配置され、測定チップ５０が載せられる搬送レール４９Ｃ、を含んで構成されている。測定の際には、１本の測定チップ５０が測定チップ搬送機構４９により測定チップ収容プレート４８Ｐから搬送レール４９Ｃ上に載せられ、保持アーム４９Ａにより挟持されつつ測定部３０へ移動してセットされる。
【００２４】
測定チップ５０は、図５及び図６に示すように、誘電体ブロック５２、流路部材５４、及び、保持部材５６、で構成されている。
【００２５】
誘電体ブロック５２は、光ビームに対して透明な透明樹脂等で構成されており、断面が台形の棒状とされたプリズム部５２Ａ、及び、プリズム部５２Ａの両端部にプリズム部５２Ａと一体的に形成された被保持部５２Ｂを備えている。プリズム部５２Ａの互いに平行な２面の内の広い側の上面には、金属膜５７が形成されている。誘電体ブロック５２は、いわゆるプリズムとして機能し、バイオセンサー１０での測定の際には、プリズム部５２Ａの対向する互いに平行でない２つの側面の内の一方から光ビームが入射され、他方から金属膜５７との界面で全反射された光ビームが出射される。
【００２６】
金属膜５７の表面には、タンパクＴａを金属膜５７上に固定化するための、リンカー層５７Ａが形成されている。
【００２７】
プリズム部５２Ａの両側面には、上側の端辺に沿って保持部材５６と係合される係合凸部５２Ｃが形成されている。また、プリズム部５２Ａの下側には、側端辺に沿って搬送用レール４９Ｃと係合されるフランジ部５２Ｄが形成されている。
【００２８】
図６に示すように、流路部材５４は、６個のベース部５４Ａを備え、ベース部５４Ａの各々に４本の円筒部材５４Ｂが立設されている。ベース部５４Ａは、３個のベース部５４Ａ毎に、立設された円筒部材５４Ｂのうちの１本の上部が連結部材５４Ｄによって連結されている。流路部材５４は、軟質で弾性変形可能な材料、例えば非晶質ポリオフィレンエラストマーで構成されている。
【００２９】
ベース部５４Ａには、図７に示すように、底面側に略Ｓ字状の２本の流路溝５４Ｃが形成されている。流路溝５４Ｃは、端部の各々が１の円筒部材５４Ｂの中空部と連通されている。ベース部５４Ａは、底面が誘電体ブロック５２の上面と密着され、流路溝５４Ｃと誘電体ブロック５２の上面との間に構成される空間と前記中空部とで、液体流路５５が構成される。１個のベース部５４Ａには、２本の液体流路５５が構成される。各々の液体流路５５において、円筒部材５４Ｂの上端面に液体流路５５の出入口５３が構成される。
【００３０】
ここで、２本の液体流路５５のうち、１本は測定流路５５Ａとして用いられ、他の１本は参照流路５５Ｒとして用いられる。測定流路５５Ａの金属膜５７上（リンカー層５７Ａ上）にはタンパクＴａが固定され、参照流路５５Ｒの金属膜５７上（リンカー層５７Ａ上）にはタンパクＴａが固定されない状態で測定が行われる。測定流路５５Ａ及び参照流路５５Ｒには、図７に示すように、各々光ビームＬ１、Ｌ２が入射される。光ビームＬ１、Ｌ２は、図８に示すように、ベース部５４Ａの中心線Ｍ上に配置されるＳ字の屈曲部分に照射される。以下、測定流路５５Ａにおける光ビームＬ１の照射領域を測定領域Ｅ１、参照流路５５Ｒにおける光ビームＬ２の照射領域を参照領域Ｅ２という。参照領域Ｅ２は、タンパクＴａの固定された測定領域Ｅ１から得られるデータを補正するための測定を行う領域である。
【００３１】
測定チップ５０の保持部材５６は、長尺とされ、上面部材５６Ａ及び２枚の側面板５６Ｂが蓋状に構成された形状とされている。側面板５６Ｂには、誘電体ブロック５２の係合凸部５２Ｃと係合される係合孔５６Ｃ、及び、光ビームＬ１、Ｌ２の光路に対応する部分に窓５６Ｄが形成されている。保持部材５６は、係合孔５６Ｃと係合凸部５２Ｃとが係合されて、誘電体ブロック５２に取り付けられる。なお、流路部材５４は、保持部材５６と一体成形されており、保持部材５６と誘電体ブロック５２の間に配置される。
【００３２】
上面部材５６Ａには、流路部材５４の円筒部材５４Ｂに対応する位置に、受部５９が形成されている。受部５９は略円筒状とされている。
【００３３】
分注ヘッド２０は、図２に示すように、上部筐体１２内の上部に設けられ、水平駆動機構２２により矢印Ｘ方向に移動可能とされている。水平駆動機構２２は、ボールねじ２２Ａ、モータ２２Ｂ、ガイドレール２２Ｃにより構成されている。ボールねじ２２Ａ及びガイドレール２２Ｃは、Ｘ方向に配置されている。ガイドレール２２Ｃは平行に２本配置され、そのうちの１本はボールねじ２２Ａの下側に所定間隔離れて配置されている。分注ヘッド２０は、ボールねじ２２Ａの回転により、ガイドレール２２Ｃに沿ってＸ方向に移動される。
【００３４】
分注ヘッド２０には、分注ヘッド２０を矢印Ｚ方向に移動させる鉛直駆動機構２４が設けられている。鉛直駆動機構２４は、図９に示すように、モータ２４Ａ及びＺ方向に配置された駆動軸２４Ｂを含んで構成され、分注ヘッド２０をＺ方向に移動させる。図３に示すように、分注ヘッド２０によりアクセスされて液体の供給等が行われる、冷蔵部４６、補正用プレート４５、バッファ供給部４４Ｂ（バッファプレート４４Ｐ）、測定部３０（測定チップ５０）、試料セット部４０Ｂ（試料プレート４０Ｐ）、及びピペットチップセット部４２Ｂ（ピペットチップストッカー４２Ｐ）は、この順にＸ方向（分注ヘッド２０の移動方向）に配置されている。
【００３５】
図９に示すように、  分注ヘッド２０は、１２本の分注管２０Ａを備えている。分注管２０Ａは、Ｘ方向と直交する矢印Ｙ方向に沿って１列に配置されている。分注管２０Ａは、隣り合う２本で一対とされ、一方が液体供給用、他方が液体排出用とされている。分注管２０Ａの先端部には、ピペットチップＣＰが取り付けられる。ピペットチップＣＰは、ピペットチップストッカー４２Ｐにストックされており、必要に応じて交換可能とされている。
【００３６】
測定時には、分注管２０Ａにより、測定チップ５０へ試料やバッファー液が供給される。これらの液体の供給は、分注ヘッド２０を、保冷部４６、試料セット部４０Ａ、バッファ供給部４４Ｂ上へ移動させ、液体供給用の６本の分注管２０Ａに取り付けられたピペットチップＣＰで試料やバッファー液を吸引する。このときの吸引量は、２本分の流路に供給するための量である。そして、試料やバッファー液を吸引した６本の分注管２０Ａ側のピペットチップＣＰを、測定チップ５０の測定流路５５Ａ側の片方の出入口５３（以下「供給口５３Ａ」という）へ挿入すると共に、排出用の列の６本の分注管２０Ａに取り付けられたピペットチップＣＰを他方の出入口５３（以下「排出口５３Ｂ」という）へ挿入する。そして、供給口５３Ａ側の分注管２０Ａから半量の液体を吐出すると共に、排出口５３Ｂ側の分注管２０Ａで液体を吸入することにより行われる。続いて、参照流路５５Ｒ側へも、同様にしてピペットチップＣＰの残り半量の液体が供給される。
【００３７】
測定部３０は、光学定盤３２、光出射部３４、受光部３６を含んで構成されている。光学定盤３２には、図４に示すように、側方向から見て、上部中央の水平平面で構成される上部台３２Ａ、上部台３２Ａから離れる方向に向かって低くなる出射傾斜部３２Ｂ、上部台３２Ａを挟んで出射傾斜部３２Ｂと逆側に配置される受光傾斜部３２Ｃが形成されている。上部台３２Ａには、Ｙ方向沿って測定チップ５０がセットされる。光学定盤３２の出射傾斜部３２Ｂには、測定チップ５０へ向かって光ビームＬ１、Ｌ２を出射する光出射部３４が設置されている。また、受光傾斜部３２Ｃには、受光部３６が設置されている。光学定盤３２の隣には、光学定盤３２を冷却する水冷ジャケット３２Ｊが設けられている。
【００３８】
図１０に示すように、光出射部３４には、光源３４Ａ、レンズユニット３４Ｂが備えられている。また、受光部３６には、レンズユニット３６Ａ、ＣＣＤ３６Ｂが備えられている。光源３４Ａは制御部７０と接続され、ＣＣＤ３６Ｂは信号処理部３８及び制御部７０と接続されている。
【００３９】
光源３４Ａからは、発散状態の光ビームＬが出射される。光ビームＬは、レンズユニット３４Ｂを介して、２本の光ビームＬ１、Ｌ２となり、光学定盤３２上に配置された誘電体ブロック５２の測定領域Ｅ１と参照領域Ｅ２に入射される。測定領域Ｅ１及び参照領域Ｅ２において、光ビームＬ１、Ｌ２は、金属膜５７と誘電体ブロック５２との界面に対して種々の入射角成分を含み、かつ全反射角以上の角度で入射される。光ビームＬ１、Ｌ２は、誘電体ブロック５２と金属膜５７との界面で全反射される。全反射された光ビームＬ１、Ｌ２も、種々の反射角成分をもって反射される。この全反射された光ビームＬ１、Ｌ２は、レンズユニット３６Ａを経てＣＣＤ３６Ｂで受光されて、各々光電変換され、光検出信号が信号処理部３８へ出力される。信号処理部３８では、入力された光検出信号に基づいて所定の処理が行なわれ、測定領域Ｅ１及び参照領域Ｅ２での屈折率変化データが求められる。
【００４０】
ここでの屈折率変化データは、全反射された光ビームＬ１、Ｌ２の暗線位置に基づいて求められるものである。金属膜５７の界面に、特定の入射角で入射した光ビームＬ１、Ｌ２は、金属膜５７とタンパクＴａとの界面に表面プラズモンを励起させ、これにより、この入射角で入射した光ビームＬ１、Ｌ２の反射光の強度が鋭く低下して暗線として観察される。この暗線となる光ビームＬ１、Ｌ２の入射角が全反射減衰角θＳＰであり、タンパクＴａと試料Ａとの反応に応じた全反射減衰角θＳＰの変化が、屈折率変化データとなる。屈折率変化データが制御部７０へ出力され、タンパクＴａと試料Ａとの反応が測定される。
【００４１】
上部筐体１２内部の上方の角部のＸ方向に沿った上部筐体１２の内側には、ラジエータ６０が設けられている。ラジエータ６０は、金属製の薄板が積層されて内部に流路が構成されており、流路に温調水を流して、温調水と上部筐体１２内の空気との熱交換を行っている。ラジエータ６０の上部筐体１２と逆側には、ラジエータ送風ファン６２が設けられている。ラジエータ送風ファン６２により、ラジエータ６０で熱交換された空気が、上部筐体１２のＹ方向内側へ送り込まれる。ラジエータ６０には、循環ホース６６が連結されている。
【００４２】
ラジエータ６０の設置された位置に隣接するＹ方向に沿った上部筐体１２の内側には、水平方向送風ファン６４が設けられている。水平方向送風ファン６４により、ラジエータ６０側からの空気が、上部筐体１２のＸ方向内側へ送り込まれる。
【００４３】
図２及び図４に示すように、ラジエータ６０には、２本の循環ホース６６Ａ、６６Ｂが連結されている。循環ホース６６Ａは、上部筐体１２から下部筐体１１内へ配管され、下部筐体１１内に設けられたサーキュレータ６８と連結されている。サーキュレータ６８内には、水を循環させるためのポンプ装置（不図示）が配置されている。サーキュレータ６８と水冷ジャケット３２Ｊの間には、サーキュレータ６８から水冷ジャケット３２Ｊへと水を送り出す循環ホース６６Ｃが配設されている。水冷ジャケット３２Ｊには、ラジエータ６０へと温調水を送り出す循環ホース６６Ｂが連結されている。
【００４４】
次に、本実施形態での上部筐体１２内部の温度調整について説明する。
【００４５】
サーキュレータ６８から送り出された温調水は、循環ホース６６Ｃを経て水冷ジャケット３２Ｊへ至り、水冷ジャケット３２Ｊを通過する。これにより、光源３４ＡやＣＣＤ３６Ｂ等により加熱される光学定盤３２が冷却される。
【００４６】
水冷ジャケット３２Ｊから送り出された温調水は、循環ホース６６Ｂを経てラジエータ６０へ供給される。ラジエータ６０内を流れる温調水とラジエータ６０近傍の空気との間では熱交換が行われ、熱交換された温調水はラジエータ６０から循環ホース６６Ａを経てサーキュレータ６８へ戻され、前述の経路で循環される。
【００４７】
一方、ラジエータ６０との間で熱交換の行われた空気は、ラジエータ送風ファン６２により、Ｙ方向に送風され、その後、水平方向送風ファン６４によりＸ方向に送風される。これにより、上部筐体１２内の空気が攪拌され、上部筐体１２内の温度が均一化される。
【００４８】
本実施形態では、上部筐体１２内が、前述のように温度調整され、試料がストックされる試料ストック部４０、測定チップ５０がストックされる測定チップストック部４８、バッファ液のストックされるバッファストック部４４、及び、測定の行われる測定部３０が、温調された上部筐体１２内に配置されているので、これらの温度差を小さくすることができる。したがって、これらを用いて正確に測定を行うことができる。
【００４９】
また、上部筐体１２内全体が温度調整されているので、測定の際に温度調整する必要がなく、測定のスループットを短くすることができる。
【００５０】
なお、本実施形態では、測定装置として、表面プラズモンセンサーを一例として説明したが、測定装置としては、表面プラズモンセンサーに限定されるものではない。その他の例えば、水晶発振子マイクロバランス（ＱＣＭ）測定技術、金のコロイド粒子から超微粒子までの機能化表面を使用した光学的測定技術など、あらゆるバイオセンサーに本発明は適用することができる。
また、全反射減衰を利用する他のバイオセンサーとしては、漏洩モード検出器をあげることができる。漏洩モードセンサは、誘電体と、この上に順に層設されたクラッド層と光導波層とによって構成された薄膜とからなり、この薄膜の一方の面がセンサ面となり、他方の面が光入射面となる。光入射面に全反射条件を満たすように光を入射させると、その一部が前記クラッド層を透過して前記光導波層に取り込まれる。そして、この光導波層において、導波モードが励起されると、前記光入射面における反射光が大きく減衰する。導波モードが励起される入射角は、表面プラズモン共鳴角と同様に、センサ面上の媒質の屈折率に応じて変化する。この反射光の減衰を検出することにより、前記センサ面上の反応を測定することができる。
【図面の簡単な説明】
【００５１】
【図１】本発明に係る実施形態のバイオセンサー全体の斜視図である。
【図２】本発明に係る実施形態のバイオセンサーの内部の斜視図である。
【図３】本発明に係る実施形態のバイオセンサーの内部の上面図である。
【図４】本発明に係る実施形態のバイオセンサーの内部の側面図である。
【図５】本発明に係る実施形態の測定チップの斜視図である。
【図６】本発明に係る実施形態の測定チップの分解斜視図である。
【図７】本発明に係る実施形態の測定チップの測定領域及び参照領域へ光ビームが入射している状態を示す図である。
【図８】本発明に係る実施形態の測定チップの１の流路部材を下側からみた図である。
【図９】本発明に係る実施形態のバイオセンサーの分注ヘッドの鉛直駆動機構を示す斜視図である。
【図１０】本発明に係る実施形態のバイオセンサーの光学測定部付近の概略図である。
【符号の説明】
【００５２】
１０  バイオセンサー
１２  上部筐体
２０  分注ヘッド
２０Ａ  分注管
３０  測定部
３２  光学定盤
３２Ｊ  水冷ジャケット
４０  試料ストック部
４２  ピペットチップストック部
４４  バッファストック部
４８  測定チップストック部
６０  ラジエータ
６２  ラジエータ送風ファン
６４  水平方向送風ファン
６６  循環ホース
６８  サーキュレータ
７０  制御部
【図１】
2008064525.tif 000003
【図２】
2008064525.tif 000004
【図３】
2008064525.tif 000005
【図４】
2008064525.tif 000006
【図５】
2008064525.tif 000007
【図６】
2008064525.tif 000008
【図７】
2008064525.tif 000009
【図８】
2008064525.tif 000010
【図９】
2008064525.tif 000011
【図１０】
2008064525.tif 000012